(57)【要約】セルラ通信ネットワークに置かれた移動通信手段（ＭＳ）に対して第１のタイプの交換手段（ＭＳＣ）から呼出信号を提供する方法である。その呼出信号は第１のモードの呼出信号（１）として備えられ、その移動通信手段（ＭＳ）は、第１のタイプの交換手段（ＭＳＣ）に接続された第２のタイプの交換手段（ＰＭＳＣ）との通信に適した第２のモードに従事し、セルラネットワークは移動通信手段（ＭＳ）との無線通信のために複数の無線送信手段（ＴＲＸ）を有している。その方法は、移動通信手段（ＭＳ）に現在割当てられている無線通信手段（ＴＲＸ）を識別し、第１のタイプの交換手段（ＭＳＣ）から識別された無線通信手段（ＴＲＸ）に呼出信号を提供し、その識別された無線通信手段（ＴＲＸ）から移動通信手段（ＭＳ）に呼出信号を送信する工程とを有している。
2004525589.tif 000002
【特許請求の範囲】
【請求項１】
移動通信手段（ＭＳ）との無線通信のために複数の無線送信手段（ＴＲＸ）を有したセルラ通信ネットワークに置かれた第１のタイプの交換手段（ＭＳＣ）から、前記第１のタイプの交換手段（ＭＳＣ）に接続された第２のタイプの交換手段（ＰＭＳＣ）との通信に適した第２のモードに従事する前記移動通信手段（ＭＳ）に、第１のモードの呼出信号（１）として備えられた呼出信号を提供する方法であって、前記方法は、
前記移動通信手段（ＭＳ）に現在割当てられている無線通信手段（ＴＲＸ）を識別する識別工程と、
前記第１のタイプの交換手段（ＭＳＣ）から前記識別された無線通信手段（ＴＲＸ）に前記呼出信号を提供する提供工程と、
前記識別された無線通信手段（ＴＲＸ）から前記移動通信手段（ＭＳ）に前記呼出信号を送信する送信工程とを有し、
前記識別工程は、
前記第１のタイプの交換手段（ＭＳＣ）が前記第２のタイプの交換手段（ＰＭＳＣ）から無線送信手段の情報（３）を要求する工程と、
前記第２のタイプの交換手段（ＰＭＳＣ）が応答して前記要求された無線送信手段の情報（３）を送信する工程とを有し、
前記無線送信手段の情報（３）は前記移動通信手段（ＭＳ）に現在割当てられている前記無線送信手段（ＴＲＸ）のアイデンティティを有していることを特徴とする方法。
【請求項２】
前記提供工程は、
前記第１のタイプの交換手段（ＭＳＣ）が前記第１のモードの呼出信号（１）の情報と前記無線送信手段のアイデンティティとを有した第２のモードの呼出信号（６）を生成する工程と、
前記第１のタイプの交換（ＭＳＣ）が前記第２のタイプの交換手段（ＰＭＳＣ）に対して前記第２のモードの呼出信号（６）を提供する工程と、
前記第２のタイプの交換手段（ＰＭＳＣ）が前記識別された無線送信手段（ＴＲＸ）に対して前記第２のモードの呼出信号（６）を提供する工程とを有することを特徴とする請求項１に記載の方法。
【請求項３】
前記提供工程は、
前記第１のタイプの交換手段（ＭＳＣ）が前記識別された無線送信手段（ＴＲＸ）からチャネル予約と対応情報（５）とを要求する工程と、
前記無線送信手段（ＴＲＸ）が応答して前記要求されたチャネル情報（５）を送信する工程と、
前記第１のタイプの交換手段（ＭＳＣ）が前記第２のモードの呼出信号（６）に前記予約されたチャネルのアイデンティティを提供して、前記識別された無線送信手段（ＴＲＸ）が前記第２のモードの呼出信号（６）を前記第２のモードにおける通信に用いられるチャネルを介して前記移動通信手段（ＭＳ）に送信する工程とを有し、
前記チャネル情報（５）は前記識別された無線送信手段（ＴＲＸ）と前記移動通信手段（ＭＳ）との間の通信のために予約されたチャネルを識別することを特徴とする請求項２に記載の方法。
【請求項４】
前記第１のタイプの交換手段（ＭＳＣ）が回路交換手段として備えられ、
前記第１のモードは回路交換モードであることを特徴とする請求項１乃至３のいずれかに記載の方法。
【請求項５】
前記第２のタイプの交換手段（ＰＭＳＣ）がパケット交換手段として備えられ、
前記第２のモードはパケット交換モードであることを特徴とする請求項１乃至４のいずれかに記載の方法。
【請求項６】
前記呼出信号は、前記第１のモードにおける通信の到来要求を信号発信するために備えられることを特徴とする請求項１乃至５のいずれかに記載の方法。
【請求項７】
前記呼出信号は、到来メッセージを信号発信するために備えられることを特徴とする請求項１乃至６のいずれかに記載の方法。
【請求項８】
ネットワークに置かれた移動通信手段（ＭＳ）との無線通信のために複数の無線送信手段（ＴＲＸ）を有したセルラ通信ネットワークの第１のタイプの交換手段（ＭＳＣ）として備えられ、前記移動通信手段（ＭＳ）が前記第１のタイプの交換手段（ＭＳＣ）に接続された第２のタイプの交換手段（ＰＭＳＣ）との通信のための第２のモードに従事し、第１のモードの呼出信号（１）を提供可能である、ネットワークノード要素であって、
前記ネットワークノード要素は、
前記移動通信手段（ＭＳ）に現在割当てられている無線通信手段（ＴＲＸ）を識別する識別工程と、
前記識別された無線通信手段（ＴＲＸ）から前記移動通信手段（ＭＳ）に前記呼出信号を送信するために、前記識別された無線送信手段（ＴＲＸ）に前記呼出信号を提供する提供工程とを有し、
前記識別工程は、
前記第２のタイプの交換手段（ＰＭＳＣ）から無線送信手段の情報（３）を要求する工程と、
前記要求された無線送信手段の情報（３）を受信する工程とを有し、
前記要求された無線送信手段の情報（３）は前記移動通信手段（ＭＳ）に現在割当てられている前記無線送信手段（ＴＲＸ）のアイデンティティを有しており、
前記提供工程は、
前記第１のモードの呼出信号（１）の情報と前記無線送信手段のアイデンティティとを有した第２のモードの呼出信号（６）を生成する工程と、
前記第２のタイプの交換手段（ＰＭＳＣ）に対して前記第２のモードの呼出信号（６）を提供し、前記第２のタイプの交換手段（ＰＭＳＣ）が前記識別された無線送信手段（ＴＲＸ）に対して前記第２のモードの呼出信号（６）を提供する工程とを有する方法を実行するために適合していることを特徴とするネットワークノード要素。
【請求項９】
前記識別された無線送信手段（ＴＲＸ）からチャネル予約と対応情報（５）とを要求する工程と、
前記要求されたチャネル情報（５）を送信する工程と、
前記第２のモードの呼出信号（６）に前記予約されたチャネルのアイデンティティを提供して、前記識別された無線送信手段（ＴＲＸ）が前記第２のモードの呼出信号（６）を前記第２のモードにおける通信に用いられるチャネルを介して前記移動通信手段（ＭＳ）に送信する工程とを有し、
前記チャネル情報（５）は前記識別された無線送信手段（ＴＲＸ）と前記移動通信手段（ＭＳ）との間の通信のために予約されたチャネルを識別する方法をさらに実行するために適合していることを特徴とする請求項８に記載のネットワークノード要素。
【請求項１０】
第１のタイプの交換手段（ＭＳＣ）に接続され、移動通信手段（ＭＳ）を有したセルラ通信ネットワークの第２のタイプの交換手段（ＰＭＳＣ）として備えられたネットワークノード要素であって、
前記第２のタイプの交換手段（ＰＭＳＣ）は、
前記第１のタイプの交換手段（ＭＳＣ）から無線送信手段の情報（３）の要求（２）を受信する工程と、
その要求に応答して、前記要求された無線送信手段の情報（３）を送信する工程と、
前記第１のタイプの交換手段（ＭＳＣ）から第２のモードの呼出信号（６）を受信する工程と、
識別された無線送信手段（ＴＲＸ）に対して前記第２のモードの呼出信号（６）を提供し、前記識別された無線送信手段（ＴＲＸ）が前記第２のモードでの通信のために用いられるチャネルを介して前記移動通信手段（ＭＳ）に対して前記第２のモードの呼出信号（６）を送信する工程とを有し、
前記無線送信手段の情報（３）は前記移動通信手段（ＭＳ）に現在割当てられている無線送信手段（ＴＲＸ）のアイデンティティを有しており、
前記第２のモードの呼出信号（６）は第１のモードの呼出信号（１）の情報を有しており、
前記第２のモードの呼出信号（６）には前記無線送信手段のアイデンティティが備えられ、
前記第２のモードの呼出信号（６）にはさらに、前記識別された無線送信手段（ＴＲＸ）と前記移動通信手段（ＭＳ）との間の通信のために予約されたチャネルのアイデンティティが備えられている方法を実行するために適合していることを特徴とするネットワークノード要素。
【請求項１１】
前記第１のタイプの交換手段（ＭＳＣ）からチャネル情報の要求を受信する工程と、
その要求に応答して前記要求されたチャネル情報を送信する工程とを有し、
前記チャネル情報は前記識別された無線送信手段（ＴＲＸ）と前記移動通信手段（ＭＳ）との間の通信のために予約された前記チャネルのアイデンティティを有している方法をさらに実行するために適合していることを特徴とする請求項１０に記載のネットワークノード要素。
【請求項１２】
請求項８又は９に記載のネットワークノード要素と、請求項１０又は１１に記載のネットワークノード要素とを有することを特徴とするセルラ通信ネットワークのネットワークノード。
【請求項１３】
請求項８乃至１１のいずれかに記載のネットワークノード要素を少なくとも１つ有することを特徴とするセルラ通信ネットワーク。
【請求項１４】
デジタル処理ユニットの内部メモリにロード可能なコンピュータプログラムであって、
請求項１乃至７のいずれかに記載の方法の工程を制御するために適合したソフトウェアコードを有し、
前記コンピュータプログラムは前記デジタル処理ユニットで実行されることを特徴とするコンピュータプログラム。
【請求項１５】
前記コンピュータプログラムはマシン可読媒体、特に、コンピュータ可読媒体に格納されることを特徴とする請求項１４に記載のコンピュータプログラム。
【請求項１６】
請求項１５に記載のコンピュータプログラムを有するマシン可読媒体。
【発明の詳細な説明】
【技術分野】
【０００１】
本発明は移動体通信に関するものである。本発明は、セルラ通信ネットワークに位置する移動通信手段に第１のタイプの交換手段から呼出信号を提供する方法に関するものである。さらに、本発明はセルラ通信ネットワークの第１のタイプの交換手段として備えられたネットワークノード要素、セルラ通信ネットワークの第２のタイプの交換手段として備えられたネットワークノード要素、及びセルラ通信ネットワークのネットワークノードに関するものである。最後に、本発明はセルラ通信ネットワーク、コンピュータプログラム、及びマシン可読媒体に関するものである。
【背景技術】
【０００２】
この文書に用いられる用語に関して、日本の“パーソナルデジタルセルラ”（ＰＤＣ）システム、また、“パシフィックデジタルセルラ”システムとも呼ばれるようなシステムは、（社）電波産業会（ＡＲＩＢ）の第Ｈ版の公知のＲＣＲ−ＳＴＤ２７標準に基づいたものである。パーソナルデジタルセルラシステムは、基地局システム（ＢＳＳ）により複数のセルにサービスを行なう少なくとも１つの移動交換センタ（ＭＳＣ）を有している。
【０００３】
上述の方法、ネットワーク、機器は公知である。パーソナルデジタルセルラシステムにおいて、移動局に呼が到来する場合、呼のセットアップにおいて、トラフィックチャネルが割当てられる。このトラフィックチャネルを割当てるために、移動局の位置が知られる必要がある。即ち、移動局が位置するセルを知る必要がある。移動交換センタが移動局の位置を知らない場合、移動交換センタは呼出要求を基地局システムに配信して、基地局システムから位置情報を取得する。この配信はいっせいに、即ち、全ての基地局システムに、即ち、移動交換センタにより制御される全てのセルにおいて実行されても良いし、或いは、局部的に、即ち、１つのセル或いは一群のセルを有する領域において、実行されても良い。
【０００４】
呼出要求は移動局がアイドルモードにある間に聴取する共通制御チャネル（ＣＣＨ）で配信される。移動局がその呼出要求を受信するとき、移動局はまたネットワークに共通制御チャネルで応答する。これにより、移動交換センタは用いられた共通制御チャネルについての情報を取得する。どのセルにこの共通制御チャネルが属しているのかを知ると、移動交換センタは従って、その移動局が位置しているセルを識別することができる。
【０００５】
パーソナルデジタルセルラ標準のネットワーク内でのパケットデータの提供には、例えば、送信制御プロトコル／インターネットプロトコル（ＴＣＰ／ＩＰ）パケットのようなデータパケットの交換を扱うパケット移動体サービス交換センタ（ＰＭＳＣ）が関与している。移動体サービス交換センタと同じ無線ネットワーク機器に接続されているので、パケット移動体サービス交換センタは、基地局システムの無線ネットワーク資源（ＴＲＸ）を移動体サービス交換センタと共用することができる。パケットデータ通信サービスを提供しているパーソナルデジタルセルラ（ＰＤＣ）システムは、同様にパケットパーソナルデジタルセルラ（パケットＰＤＣ或いはＰＰＤＣ）システムと呼ばれる。
【０００６】
移動体サービス交換センタは無線ネットワーク資源を構成している。無線ネットワーク資源がユーザパケットチャネル（ＵＰＣＨ）を搬送するために構成されている場合、パケット移動体交換センタと無線ネットワーク資源との間の経路がセットアップされる。そのパケット移動体サービス交換センタは無線ネットワーク資源のアイデンティティを取得する。パケット移動体サービス交換センタはユーザパケットチャネルを制御する。
【発明の開示】
【発明が解決しようとする課題】
【０００７】
移動局がパケットデータモードにあるとき、パケット移動体サービス交換センタはネットワークと移動局との間の通信を制御する。もし、パケットデータセション中に、移動局がそのネットワークで動き回るなら、移動局はチャネル強度がより良い別のセルにおいてユーザパケットチャネルに対する“セルの再選択”を行なうことができ、これは回路交換された音声呼の期間中でのハンドオーバに似ている。パケット移動体サービス交換センタは、移動局の現在位置で更新される。しかしながら、セル再選択後には、その移動体サービス交換センタは移動局の現在位置が分からない。
【０００８】
移動体サービス交換センタが移動局の現在位置が分からない場合に、もし、到来する音声呼や、到来するショートメッセージサービス（ＳＭＳ）があるなら、移動体サービス交換センタは移動局の位置を突き止めて、移動通信手段が現在位置しているネットワークセルにおいてトラフィックチャネルを割当てなければならない。移動局がパケットデータセションに従事している場合、移動交換センタは、移動局がユーザパケットチャネルを介してパケット移動体交換センタとだけ通信しているので、共通制御チャネルで移動局に達することはできない。それ故に、従来技術に従えば、移動局がパケットデータセションに従事している間、音声呼のような回路交換通信サービスが到来してもそれを受け入れることは不可能である。
【０００９】
本発明の基礎となる課題は、移動局を呼出すことが可能である一方でパケット交換通信セションに従事できる方法とシステムとを提供することである。
【課題を解決するための手段】
【００１０】
本発明を１つの側面から見ると、この問題は、セルラ通信ネットワークに位置した移動通信手段に第１のタイプの交換手段から呼出信号を提供する方法によって解決される。その呼出信号は第１のモードの呼出信号として備えられ、移動通信手段は第１のタイプの交換手段に接続された第２のタイプの交換手段との通信に適した第２のモードに従事しており、セルラネットワークは移動通信手段との無線通信のために複数の無線送信手段を有している。その方法は、
前記移動通信手段に現在割当てられている無線通信手段を識別する識別工程と、
前記第１のタイプの交換手段から前記識別された無線通信手段に前記呼出信号を提供する提供工程と、
前記識別された無線通信手段から前記移動通信手段に前記呼出信号を送信する送信工程とを有し、
前記識別工程は、
前記第１のタイプの交換手段が前記第２のタイプの交換手段から無線送信手段の情報を要求する工程と、
前記第２のタイプの交換手段が応答して前記要求された無線送信手段の情報を送信する工程とを有し、
前記無線送信手段の情報は前記移動通信手段に現在割当てられている前記無線送信手段のアイデンティティを有していることを特徴とする。
【００１１】
第２のタイプの交換手段との通信に適した第２のモードに移動通信手段が従事することには、実際に情報を第２のタイプの交換手段に対して送信するか、或いは第２のタイプの交換手段から実際に情報を受信するための移動通信手段を有しているのみならず、例えば、その移動通信手段が第２のモードで“オンライン”である場合には、そのような送信と受信の少なくともいずれかに対して準備ができる移動通信手段を有している。送信手段から移動通信手段に信号を送信する送信手段として、無線資源が備えられても良い。特に、都合の良い実施例において、少なくとも１つの無線送信手段が、信号の送受信のためのトランシーバとして備えられる。その無線資源にはさらに、無線送信手段から移動通信手段への信号送信のためのチャネルセットアップ手順を実行する手段を有していても良い。移動通信手段への無線資源の割当てに関して、このことは、無線資源が移動通信手段への情報の送信に現在は専念していることを意味する。１つの実施例では、移動通信手段との通信のために、第１のタイプの交換手段が、第２のタイプの交換手段に現在は割当てられている無線送信手段とは物理的に異なっている無線送信手段を使用しても良い。
【００１２】
本発明の方法に従えば、第１のタイプの交換手段は、どんな無線送信手段が移動通信手段に割当てられているのかを識別する。もし必要なら、第１のタイプの交換手段は、セルラ通信ネットワークのどのセルに移動通信手段が位置しているのかに結論を下すことができる。それ故に、トラフィックチャネルは、第１のタイプの交換手段と移動通信手段との間の呼出信号により指示される通信のために割当てられる。この識別を成し遂げるために、第１のタイプの交換手段は第２のタイプの交換手段に移動通信手段に関する位置情報を提供するように依頼する。移動通信手段は第２のタイプの交換手段との通信に適した第２のモードに従事するので、第２のタイプの移動体交換センタと無線送信手段との間の通信経路がセットアップされる。第２のタイプの交換手段はこの経路を“知り”、その後、第２のタイプの交換手段は無線送信手段を識別することができる。それ故に、第２のタイプの交換手段はその探索される移動通信手段を見出すために移動通信手段を呼出さなければならない。第２のタイプの交換手段は、第１のタイプの交換手段に対して、無線送信手段のアイデンティティについての情報を返却する。その結果、第１のタイプの交換手段は、その識別された無線送信手段がどのセルに属しているのかを“知る”ことになる。従って、第１のタイプの交換手段は、その移動通信手段が現在位置しているセルのアイデンティティについて結論を下すことができる。１つの実施例において、現在その移動通信手段が位置しているセルについての情報を提供することに加えて、第２のタイプの交換手段はさらに、識別された無線送信手段によりカバーされるセルにある移動通信手段の位置についての位置情報を提供する。
【００１３】
本発明によれば、移動通信手段が位置するセルのアイデンティティが移動局に対して何の信号を発信することなく取得される。その結果、従来技術の方法と比較して、第１の交換手段の要求に対する応答がより迅速になり、空中インタフェースのトラフィック負荷が軽減する。
【００１４】
前記提供工程は、
前記第１のタイプの交換手段が前記第１のモードの呼出信号の情報と前記無線送信手段のアイデンティティとを有した第２のモードの呼出信号を生成する工程と、
前記第１のタイプの交換手段が前記第２のタイプの交換手段に対して前記第２のモードの呼出信号を提供する工程と、
前記第２のタイプの交換手段が前記識別された無線送信手段に対して前記第２のモードの呼出信号を提供する工程とを有することが好ましい。
【００１５】
この実施例では、第１のタイプの交換手段と識別された無線送信手段との間に既に割当てられた通信経路を介して第１のモードの呼出信号に含まれる情報の送信が、付加的な通信チャネルが用いられる必要のないようにして可能になる。その接続は特に迅速にセットアップされるので、これは有利である。
【００１６】
１つの実施例において、呼出信号を提供する前記提供工程は、
前記第１のタイプの交換手段が前記識別された無線送信手段からのチャネル予約と対応情報とを要求する工程と、
前記無線送信手段が応答して前記要求されたチャネル情報を送信する工程と、
前記第１のタイプの交換手段は前記第２のモードの呼出信号に前記予約されたチャネルのアイデンティティを提供して、前記識別された無線送信手段が前記第２のモードの呼出信号を前記第２のモードにおける通信に用いられるチャネルを介して前記移動通信手段に送信する工程とを有し、
前記チャネル情報は前記識別された無線送信手段と前記移動通信手段との間の通信のために予約されたチャネルを識別する。
【００１７】
この実施例では、第１のモードの呼出信号に含まれる情報の送信が、第１のタイプの交換手段と移動通信手段との間で予約された通信経路を介して、付加的な通信チャネル、例えば、共通制御チャネルが用いられる必要がないようにして可能になる。これは、共通制御チャネルの負荷を小さくする。さらにその上、移動通信手段に対する呼出信号がうまく送信されることは、移動通信手段の場所についての情報を暗に検証するものとなる。その情報は、識別された無線送信手段と移動通信手段との間の通信に予約されたチャネルを示唆しても良いし、或いは、１つの実施例では、この情報は第１のタイプの交換センタにより要求されるようにこの通信チャネルの予約を確認しても良い。
【００１８】
１つの実施例では、第１のタイプの交換手段は回路交換手段として備えられ、第１のモードは回路交換モードである。好適には、第２のタイプの交換手段がパケット交換手段として備えられ、第２のモードはパケット交換モードである。その移動通信手段は、例えば、移動電話として、携帯情報端末（ＰＤＡ）として、或いは、通信ネットワークと通信するために適合したラップトップコンピュータとして備えられる。移動通信手段は、第１のモードと第２のモードの両方で通信することができる。
【００１９】
１つの実施例では、呼出信号は、第１のモードにおける通信の到来要求、例えば、音声呼要求を信号発信するために備えられる。或いは、その呼出信号は、到来メッセージ、例えば、ショートメッセージサービス（ＳＭＳ）のメッセージ或いはマルチメディアサービス（ＭＭＳ）のメッセージを信号発信するために備えられる。
【００２０】
１つの実施例では、第１のモードにおける移動通信手段との通信のために、第１のタイプの通信手段は、第２のタイプの交換手段に現在割当てられている送信手段とは物理的に異なる送信手段を用いても良い。
【００２１】
本発明を別の側面から見れば、セルラ通信ネットワークの第１のタイプの交換手段としてネットワークノード要素が備えられる。そのセルラ通信ネットワークは、ネットワークに置かれた移動通信手段との無線通信のために複数の無線送信手段を有している。その移動通信手段は、第１のタイプの交換手段に接続された第２のタイプの交換手段との通信のための第２のモードに従事する。その移動通信手段には第１のモードの呼出信号を提供可能である。そのネットワークノード要素は、次の工程を有する方法を実行するために適合している。即ち、
その方法は、
前記移動通信手段に現在割当てられている無線通信手段を識別する識別工程と、
前記無線通信手段から前記移動通信手段に前記呼出信号を送信するために、前記識別された無線送信手段に前記呼出信号を提供する提供工程とを有し、
前記識別工程は、
前記第２のタイプの交換手段から無線送信手段の情報を要求する工程と、
前記要求された無線送信手段の情報を受信する工程とを有し、
前記要求された無線送信手段の情報は、前記移動通信手段に現在割当てられている前記無線送信手段のアイデンティティを有しており、
前記提供工程は、
前記第１のモードの呼出信号の情報と前記無線送信手段のアイデンティティとを有した第２のモードの呼出信号を生成する工程と、
前記第２のタイプの交換手段に対して前記第２のモードの呼出信号を提供し、前記第２のタイプの交換手段が前記識別された無線送信手段に対して前記第２のモードの呼出信号を提供する工程とを有するものである。
【００２２】
好適には、そのネットワークノード要素はさらに、次の工程を有する方法を実行するために適合している。即ち、
その方法は、
前記識別された無線送信手段からのチャネル予約と対応情報とを要求する工程と、
前記要求されたチャネル情報を送信する工程と、
前記第２のモードの呼出信号に前記予約されたチャネルのアイデンティティを提供し、前記識別された無線送信手段が前記第２のモードの呼出信号を前記第２のモードにおける通信に用いられるチャネルを介して前記移動通信手段に送信する工程とを有し、
前記チャネル情報は、前記識別された無線送信手段と前記移動通信手段との間の通信のために予約されたチャネルを識別するものである。
【００２３】
１つの実施例では、第２のモードの呼出信号は、その第２のモードにおける通信のために移動通信手段により用いられる前記識別された無線通信手段により現在用いられている同じチャネルを介して前記移動通信手段に送信されても良い。
【００２４】
本発明をさらに別の側面から見れば、第１のタイプの交換手段に接続され、次の工程を有する方法を実行するために適合した、移動通信手段を有したセルラ通信ネットワークの第２のタイプの交換手段としてのネットワークノード要素が備えられる。即ち、
その方法は、
前記第１のタイプの交換手段から無線送信手段の情報の要求を受信する工程と、
その要求に応答して、前記要求された無線送信手段の情報を送信する工程と、
前記第１のタイプの交換手段から第２のモードの呼出信号を受信する工程と、
識別された無線送信手段に対して前記第２のモードの呼出信号を提供し、前記識別された無線送信手段が前記第２のモードでの通信のために用いられるチャネルを介して前記移動通信手段に対して前記第２のモードの呼出信号を送信する工程とを有し、
前記無線送信手段の情報は前記移動通信手段に現在割当てられている無線送信手段のアイデンティティを有しており、
前記第２のモードの呼出信号は第１のモードの呼出信号の情報を有しており、
前記第２のモードの呼出信号には前記無線送信手段のアイデンティティが備えられ、
前記第２のモードの呼出信号にはさらに、前記識別された無線送信手段と前記移動通信手段との間の通信のために予約されたチャネルのアイデンティティが備えられているものである。
【００２５】
好適には、このネットワークノード要素は、次の工程を有する方法を実行するために適合している。即ち、
その方法は、
前記第１のタイプの交換手段からチャネル情報の要求を受信する工程と、
その要求に応答して前記要求されたチャネル情報を送信する工程とを有し、
前記チャネル情報は、前記識別された無線送信手段と前記移動通信手段との間の通信のために予約された前記チャネルのアイデンティティを有しているものである。
【００２６】
１つの実施例では、特に、回路交換回路移動体サービス交換センタとして備えられた第１のタイプの交換手段と、特に、パケット交換パケット移動体サービスセンタとして備えられた第２のタイプの交換手段とは、物理的に１つのネットワークノードに集積される。これらのノード要素の分配、即ち、これらのノード要素間の違いは、この場合は、集積されたノード要素間の論理的な相違に基づいている。
【００２７】
本発明のさらに別の側面は、セルラ通信ネットワークのネットワークノードに関するものである。このネットワークノードは、上述した第１のタイプの交換手段として備えられた第１のネットワークノード要素と、上述した第２のタイプの交換手段として備えられたネットワークノード要素とを有する。
【００２８】
本発明のさらに別の側面は、セルラ通信ネットワークに関するものである。このネットワークは、上述したネットワークノード要素を少なくとも１つ有する。例えば、移動体通信ネットワークは、パーソナルセルラデジタル（ＰＤＣ）ネットワークとして、或いは、パケット交換パケットパーソナルセルラデジタル（パケットＰＤＣ、ＰＰＤＣ）ネットワークとして備えられる。
【００２９】
本発明の１つの側面は、デジタル処理ユニットの内部メモリにロード可能なコンピュータプログラムに関するものである。このコンピュータプログラムは、これがデジタル処理ユニットで実行されるとき、上述したいずれかの方法に従う工程を制御するために適合したソフトウェアコードを有している。従って、本発明はソフトウェアによって実現される。好適には、このコンピュータプログラムは、特に、コンピュータ可読媒体のようなマシン可読媒体に格納される。この媒体は、例えば、コンパクトディスク読出し専用メモリ（ＣＤ−ＲＯＭ）、フロッピィディスク、光学ディスク、或いはハードディスクでも良い。従って、制御ソフトウェアの良好な物理的な可搬性が備えられる。そのソフトウェアはアップグレードは容易に実行される。
【００３０】
最後に、本発明は、上述のコンピュータプログラムを有するマシン可読媒体に関するものである。
【発明を実施するための最良の形態】
【００３１】
本発明は、１９９９年リリース版、また、その将来のリリース版全てにおける第３世代パートナーシッププロジェクト（３ＧＰＰ）により定義されるような全ての通信システムにおいて、また、世界規模の移動体通信サービス（ＵＭＴＳ）ネットワークにおいて好適に利用される。さらに、これは、パーソナルセルラデジタル（ＰＤＣ）とパケットパーソナルセルラデジタル（ＰＰＤＣ）とともに、汎欧州デジタル移動電話方式（ＧＳＭ）ネットワーク、コアネットワーク、無線ローカルエリアアクセスネットワーク（ＷＬＡＮ）、及びその対応するユーザ機器を含む。これらのまた他の本発明の特徴は、次の詳細な説明と添付図面とを参照することでより十分に理解される。
【００３２】
図１は説明する本発明の実施例を図示したものである。特に、図１はパーソナルセルラデジタル（ＰＤＣ）標準とパケットパーソナルセルラデジタル（ＰＰＤＣ）標準とに従うシステムの要素を示すものである。このシステムは、ゲートウェイノードＧＮと、そのゲートウェイノードＧＮにリンクした移動サービス交換センタ（ＭＳＣ）とを有している。そのゲートウェイノードＧＮは、パーソナルセルラデジタル（ＰＤＣ）ネットワークと、公衆交換電話ネットワーク（ＰＳＴＮ）即ち、ゲートウェイノードＧＮが接続可能な固定電話ネットワーク（図１では不図示）との間で回路交換される呼を交換する回路交換ゲートウェイ移動サービス交換センタ（ＧＭＳＣ）として備えられる。その移動サービス交換センタはまた、それが音声呼或いはショートメッセージサービス（ＳＭＳ）メッセージを受信するとき、移動局呼出機能を実行する。
【００３３】
そのシステムはさらに、移動サービス交換センタＭＳＣに接続されたパケット移動サービス交換センタＰＭＳＣを有している。パケット移動サービス交換センタは、基地局システムＢＳＳに収容された数多くの無線資源ＴＲＸを制御する。なお、説明を簡単にするために、限定的なものではないが、基地局システムは、ただ１つの基地局システムＢＳＳが示されている。例えば、移動電話、携帯情報端末（ＰＤＡ）、或いは移動通信を実行するために適合したコンピュータのような移動局ＭＳは無線リンクにより基地局システムＢＳＳにリンクされている。移動局ＭＳはパケット移動サービス交換センタＰＭＳＣの端末登録領域（ＴＲＡ）の中で登録される。その端末登録領域は、パケット移動サービス交換センタＰＭＳＣによりカバーされる地理的な領域である。パケット移動サービス交換センタＰＭＳＣは、移動局ＭＳとネットワークとの間のパケットデータ交換機能、特に、移動局ＭＳに対するインターネットプロトコル（ＩＰ）のコンテンツを格納し提供する（図１には不図示の）アプリケーションサーバを統御する。その上、パケット移動サービス交換センタＰＭＳＣは、移動局がアプリケーションサーバへのエンド−ツウ−エンドのパケットデータセションをサインナップすることを望む場合に、移動局ＭＳに動的なインターネットプロトコルアドレスを割当てることにより、移動局ＭＳのインターネットプロトコルに基づく接続を提供する。そのパケット移動サービス交換センタは、移動局ＭＳに出てゆく、或いは、移動局ＭＳから到来するインターネットプロトコルパケットをルーティングし、転送する。
【００３４】
従って、登録された移動局ＭＳは、パケット移動サービス交換センタＰＭＳＣとのパケットデータセションに従事する。即ち、移動局ＭＳは“オンライン”になる。パケット移動サービス交換センタＰＭＳＣとのパケットデータセションに従事するときには、無線リンクとパケットデータチャネルとの内、少なくともいずれかは共有されて、（図１には不図示の）他の移動局もまたこのリンク或いはこのチャネルの内、少なくともいずれかを用いることができるようにしても良い。
【００３５】
さらに図１において、移動サービス交換センタＭＳＣは回路呼出要求信号１、即ち、呼出メッセージ信号、例えば、ゲートウェイノードＧＮからの到来音声呼、或いは到来ショートメッセージサービス（ＳＭＳ）メッセージのような回路交換通信サービスを示す音声呼出メッセージ信号を受信する。トラフィックチャネル、即ち、音声／回路ユーザデータを転送し、指示された到来音声呼或いはショートメッセージサービス（ＳＭＳ）メッセージを提供するのに用いられるポイント−ツウ−ポイントの双方向チャネルを移動局ＭＳに対して割当てることができるために、移動サービス交換センタＭＳＣは移動局ＭＳがどのセルに位置するのかを、移動局ＭＳにリンクした基地局システムＢＳＳに含まれる無線資源を識別することにより見出す。移動サービス交換センタＭＳＣは識別された無線資源がどのセルに属するのかを“知っている”ので、移動サービス交換センタＭＳＣは移動局ＭＳが現在位置しているセルのアイデンティティについて結論を下すことができ、従って、その移動局ＭＳが位置するセルそれ自身を識別することができる。
【００３６】
無線資源を識別するために、移動サービス交換センタＭＳＣは、無線資源情報信号要求３を含む要求信号２をパケット移動サービス交換センタＰＭＳＣに送信する。パケット移動サービス交換センタＰＭＳＣは、パケット移動サービス交換センタＰＭＳＣとのパケットデータセションのために、どのユーザパケットチャネル（ポイント−ツウ−ポイントでユーザパケットデータを転送するＵＰＣＨ）に移動局が現在接続されているのか、即ち、割当てられているのかを知る。さらにその上、パケット移動サービス交換センタＰＭＳＣはこのユーザパケットチャネルを搬送する無線資源（ＴＲＸ）のアイデンティティを知っている。従って、パケット移動サービス交換センタＰＭＳＣは要求された無線資源情報信号３を回路移動サービス交換センタＭＳＣに送信する。無線資源情報信号３は、現在移動局ＭＳにサービスを行なっている無線資源（ＴＲＸ）を識別する情報を有している。従って、移動サービス交換センタＭＳＣは移動局が位置しているセルのアイデンティティ、従って、移動局ＭＳが位置する地理的な場所に結論を下す。パケット移動サービス交換センタＰＭＳＣがさらに位置情報を提供する場合、移動サービス交換センタＭＳＣは識別されたセル内の移動局ＭＳの正確な位置さえも結論を下すことができる。移動サービス交換センタＭＳＣは移動局ＭＳが位置するセルと、移動局ＭＳにリンクする送信資源との内、少なくともいずれかの識別を、移動局ＭＳに対して何の信号も発信することなく成し遂げる。従って、移動局とネットワークとの間の空中インタフェースにおける負荷が回避される。
【００３７】
その後、移動サービス交換センタＭＳＣは、例えば、音声呼のために、音声呼出メッセージにより示される回路交換通信サービス用のトラフィックチャネルを提供する基地局システムの無線資源ＴＲＸを選択する。移動サービス交換センタＭＳＣはこの選択を基礎にして、どのトラフィックチャネルが移動局ＭＳが継続中のパケット通信セションに従事しているパケットチャネルに最も近接しているのかを決定しても良い。図１に示されたこの例では、移動サービス交換センタＭＳＣは、移動局ＭＳとパケット移動サービス交換センタＰＭＳＣとの間でパケットデータセションを既に搬送している同じ基地局システムＢＳＳで無線資源ＴＲＸを選択する。移動サービス交換センタＭＳＣは、識別された無線資源ＴＲＸを収容する基地局システムＢＳＳに対して、トラフィックチャネル情報信号要求５を含む要求信号４を送信する。しかしながら、ある場合には（図１には不図示）、移動サービス交換センタＭＳＣは、上述のように、無線資源ＴＲＸを識別する情報を有する無線資源情報信号３を提供した同じ基地局システムＢＳＳ或いは無線資源ＴＲＸからのトラフィックチャネル情報信号５を要求しない。別の基地局システムＢＳＳ或いは無線資源ＴＲＸはパケットデータセションチャネルに地理的にはより近くに位置するトラフィックチャネルを提供しても良い。基地局システムＢＳＳは、移動局ＭＳとネットワークとの間の回路交換通信に今予約されているトラフィックチャネルのアイデンティティを有する要求されたトラフィックチャネル情報信号５を移動サービス交換センタＭＳＣに送信する。
【００３８】
回路移動サービス交換センタＭＳＣは、回路呼出要求信号１の情報と少なくともトラフィックチャネル情報信号５のトラフィックチャネル情報とを有するパケットデータ呼出信号６を形成する。回路移動サービス交換センタＭＳＣは、パケットデータ呼出信号６をパケット移動サービス交換センタＰＭＳＣに送信する。パケット移動サービス交換センタＰＭＳＣは、パケットデータ呼出信号６を識別された無線資源ＴＲＸを有する基地局システムＢＳＳに送信する。基地局システムＢＳＳはパケットデータ呼出信号６を移動局ＭＳに送信する。好適には、その送信は、移動局ＭＳとパケット移動サービス交換センタＰＭＳＣとの間での継続中のパケットデータセションに用いられるユーザパケットチャネル（ＵＰＣＨ）で実行される。しかしながら、ある場合には、別のパケットデータチャネルが送信のために用いられても良い。移動局ＭＳは、受信したパケットデータ呼出信号６に含まれるチャネル情報を用いて、その受信パケットデータ呼出信号６にも含まれる回路呼出要求信号１の情報に応答して、指示された回路交換通信が開始できる。
【００３９】
図１には示されていないが、本発明の別の実施例において、第１のタイプの交換手段は符号分割多元接続（ＣＤＭＡ）システムの交換手段として備えられ、第２のタイプの交換手段は無線ローカルエリアネットワーク（無線ＬＡＮ、ＷＬＡＮとも呼ばれる）、しばしば無線ローカルエリアアクセスネットワークとも呼ばれる交換手段として備えられる。特に、第１のタイプの交換手段は、ＧＧＳＮ（ゲートウェイＧＰＲＳ（汎用パケット無線サービス）サポートノード）或いはＳＧＳＮ（在圏ＧＰＲＳサポートノード）として、移動サービス交換ノードとして、或いは、ホームロケーション登録（ＨＬＲ）即ちネットワークの運用者のサービスに加入したユーザ毎の加入情報を保持するデータベースを有するノードとして、備えられる。第２のタイプの交換手段は、無線ローカルエリアネットワーク管理局として、或いは無線ローカルネットワーク制御局として備えられる。無線送信手段は好適にはトランシーバを有する無線ローカルエリアネットワークアクセスポイントとして備えられる。
【００４０】
図１には示されていないが、本発明の１つの実施例において、第１のタイプの交換手段は符号分割多元接続２０００（ＣＤＭＡ２０００）システムの交換手段として備えられ、第２のタイプの交換手段は無線ローカルエリアネットワーク（無線ＬＡＮ）の交換手段として備えられる。
【００４１】
図１には示されていないが、本発明の１つの実施例において、第１のタイプの交換手段は世界規模の移動体通信サービス（ＵＭＴＳ）の交換手段として備えられ、第２のタイプの交換手段は無線ローカルエリアネットワーク（無線ＬＡＮ）の交換手段として備えられる。
【００４２】
図１には示されていないが、本発明の別の実施例において、第１のタイプの交換手段は汎欧州デジタル移動電話方式（ＧＳＭ）システムの交換手段として備えられ、第２のタイプの交換手段は無線ローカルエリアネットワーク（無線ＬＡＮ）の交換手段として備えられる。
【００４３】
図１には示されていないが、本発明の別の実施例において、第１のタイプの交換手段は世界規模の移動体通信サービス（ＵＭＴＳ）システムの交換手段として備えられ、第２のタイプの交換手段は汎欧州デジタル移動電話方式（ＧＳＭ）システムの交換手段として備えられる。
【図面の簡単な説明】
【００４４】
【図１】本発明の実施例を示す図である。
【図１】
2004525589.tif 000003
【国際公開パンフレット】
2004525589.tif 000004
2004525589.tif 000005
2004525589.tif 000006
2004525589.tif 000007
2004525589.tif 000008
2004525589.tif 000009
2004525589.tif 000010
2004525589.tif 000011
2004525589.tif 000012
2004525589.tif 000013
2004525589.tif 000014
2004525589.tif 000015
2004525589.tif 000016
2004525589.tif 000017
2004525589.tif 000018
2004525589.tif 000019
2004525589.tif 000020
2004525589.tif 000021
2004525589.tif 000022
2004525589.tif 000023
2004525589.tif 000024
2004525589.tif 000025
2004525589.tif 000026
2004525589.tif 000027
2004525589.tif 000028
【国際公開パンフレット（コレクトバージョン）】
2004525589.tif 000029
2004525589.tif 000030
【手続補正書】
【提出日】平成15年6月30日(2003.6.30)
【手続補正１】
【補正対象書類名】特許請求の範囲
【補正対象項目名】全文
【補正方法】変更
【補正の内容】
【特許請求の範囲】
【請求項１】
移動通信手段（ＭＳ）との無線通信のために複数の無線送信手段（ＴＲＸ）を有したセルラ通信ネットワークに置かれた第１のタイプの交換手段（ＭＳＣ）から、前記第１のタイプの交換手段（ＭＳＣ）に接続された第２のタイプの交換手段（ＰＭＳＣ）との通信に適した第２のモードに従事する前記移動通信手段（ＭＳ）に、第１のモードの呼出信号（１）として備えられた呼出信号を提供する方法であって、前記方法は、
前記移動通信手段（ＭＳ）に現在割当てられている無線通信手段（ＴＲＸ）を識別する識別工程と、
前記第１のタイプの交換手段（ＭＳＣ）から前記識別された無線通信手段（ＴＲＸ）に前記呼出信号を提供する提供工程と、
前記識別された無線通信手段（ＴＲＸ）から前記移動通信手段（ＭＳ）に前記呼出信号を送信する送信工程とを有し、
前記識別工程は、
前記第１のタイプの交換手段（ＭＳＣ）が前記第２のタイプの交換手段（ＰＭＳＣ）から無線送信手段の情報（３）を要求する工程と、
前記第２のタイプの交換手段（ＰＭＳＣ）が応答して前記要求された無線送信手段の情報（３）を送信する工程とを有し、
前記提供工程は、さらに
前記第１のタイプの交換手段（ＭＳＣ）が前記第１のモードの呼出信号（１）と前記無線送信手段のアイデンティティとの情報を有した第２のモードの呼出信号（６）を生成する工程を有し、
前記無線送信手段の情報（３）は前記移動通信手段（ＭＳ）に現在割当てられている前記無線送信手段（ＴＲＸ）のアイデンティティを有していることを特徴とする方法。
【請求項２】
前記提供工程は、
前記第１のタイプの交換（ＭＳＣ）が前記第２のタイプの交換手段（ＰＭＳＣ）に対して前記第２のモードの呼出信号（６）を提供する工程と、
前記第２のタイプの交換手段（ＰＭＳＣ）が前記識別された無線送信手段（ＴＲＸ）に対して前記第２のモードの呼出信号（６）を提供する工程とを有することを特徴とする請求項１に記載の方法。
【請求項３】
前記提供工程は、
前記第１のタイプの交換手段（ＭＳＣ）が前記識別された無線送信手段（ＴＲＸ）からチャネル予約と対応情報（５）とを要求する工程と、
前記無線送信手段（ＴＲＸ）が応答して前記要求されたチャネル情報（５）を送信する工程と、
前記第１のタイプの交換手段（ＭＳＣ）が前記第２のモードの呼出信号（６）に前記予約されたチャネルのアイデンティティを提供して、前記識別された無線送信手段（ＴＲＸ）が前記第２のモードの呼出信号（６）を前記第２のモードにおける通信に用いられるチャネルを介して前記移動通信手段（ＭＳ）に送信する工程とを有し、
前記チャネル情報（５）は前記識別された無線送信手段（ＴＲＸ）と前記移動通信手段（ＭＳ）との間の通信のために予約されたチャネルを識別することを特徴とする請求項２に記載の方法。
【請求項４】
前記第１のタイプの交換手段（ＭＳＣ）が回路交換手段として備えられ、
前記第１のモードは回路交換モードであることを特徴とする請求項１乃至３のいずれかに記載の方法。
【請求項５】
前記第２のタイプの交換手段（ＰＭＳＣ）がパケット交換手段として備えられ、
前記第２のモードはパケット交換モードであることを特徴とする請求項１乃至４のいずれかに記載の方法。
【請求項６】
前記呼出信号は、前記第１のモードにおける通信の到来要求を信号発信するために備えられることを特徴とする請求項１乃至５のいずれかに記載の方法。
【請求項７】
前記呼出信号は、到来メッセージを信号発信するために備えられることを特徴とする請求項１乃至６のいずれかに記載の方法。
【請求項８】
ネットワークに置かれた移動通信手段（ＭＳ）との無線通信のために複数の無線送信手段（ＴＲＸ）を有したセルラ通信ネットワークの第１のタイプの交換手段（ＭＳＣ）として備えられ、前記移動通信手段（ＭＳ）が前記第１のタイプの交換手段（ＭＳＣ）に接続された第２のタイプの交換手段（ＰＭＳＣ）との通信のための第２のモードに従事し、第１のモードの呼出信号（１）を提供可能である、ネットワークノード要素であって、
前記ネットワークノード要素は、
前記移動通信手段（ＭＳ）に現在割当てられている無線通信手段（ＴＲＸ）を識別する識別工程と、
前記識別された無線通信手段（ＴＲＸ）から前記移動通信手段（ＭＳ）に前記呼出信号を送信するために、前記識別された無線送信手段（ＴＲＸ）に前記呼出信号を提供する提供工程とを有し、
前記識別工程は、
前記第２のタイプの交換手段（ＰＭＳＣ）から無線送信手段の情報（３）を要求する工程と、
前記要求された無線送信手段の情報（３）を受信する工程とを有し、
前記要求された無線送信手段の情報（３）は前記移動通信手段（ＭＳ）に現在割当てられている前記無線送信手段（ＴＲＸ）のアイデンティティを有しており、
前記提供工程は、
前記第１のモードの呼出信号（１）の情報と前記無線送信手段のアイデンティティとを有した第２のモードの呼出信号（６）を生成する工程と、
前記第２のタイプの交換手段（ＰＭＳＣ）に対して前記第２のモードの呼出信号（６）を提供し、前記第２のタイプの交換手段（ＰＭＳＣ）が前記識別された無線送信手段（ＴＲＸ）に対して前記第２のモードの呼出信号（６）を提供する工程とを有する方法を実行するために適合していることを特徴とするネットワークノード要素。
【請求項９】
前記識別された無線送信手段（ＴＲＸ）からチャネル予約と対応情報（５）とを要求する工程と、
前記要求されたチャネル情報（５）を送信する工程と、
前記第２のモードの呼出信号（６）に前記予約されたチャネルのアイデンティティを提供して、前記識別された無線送信手段（ＴＲＸ）が前記第２のモードの呼出信号（６）を前記第２のモードにおける通信に用いられるチャネルを介して前記移動通信手段（ＭＳ）に送信する工程とを有し、
前記チャネル情報（５）は前記識別された無線送信手段（ＴＲＸ）と前記移動通信手段（ＭＳ）との間の通信のために予約されたチャネルを識別する方法をさらに実行するために適合していることを特徴とする請求項８に記載のネットワークノード要素。
【請求項１０】
第１のタイプの交換手段（ＭＳＣ）に接続され、移動通信手段（ＭＳ）を有したセルラ通信ネットワークの第２のタイプの交換手段（ＰＭＳＣ）として備えられたネットワークノード要素であって、
前記第２のタイプの交換手段（ＰＭＳＣ）は、
前記第１のタイプの交換手段（ＭＳＣ）から無線送信手段の情報（３）の要求（２）を受信する工程と、
その要求に応答して、前記要求された無線送信手段の情報（３）を送信する工程とを有し、
前記無線送信手段の情報（３）は前記移動通信手段（ＭＳ）に現在割当てられている無線送信手段（ＴＲＸ）のアイデンティティを有している方法を実行するために適合しており、
前記第２のタイプの交換手段（ＰＭＳＣ）はさらに、
前記第１のタイプの交換手段（ＭＳＣ）から第２のモードの呼出信号（６）を受信する工程と、
識別された無線送信手段（ＴＲＸ）に対して前記第２のモードの呼出信号（６）を提供し、前記識別された無線送信手段（ＴＲＸ）が、前記第２のモードでの通信のために用いられるチャネルを介して前記移動通信手段（ＭＳ）に対して前記第２のモードの呼出信号（６）を送信する工程とを有し、
前記第２のモードの呼出信号（６）は第１のモードの呼出信号（１）の情報を有しており、
前記第２のモードの呼出信号（６）には前記無線送信手段のアイデンティティが備えられ、
前記第２のモードの呼出信号（６）にはさらに、前記識別された無線送信手段（ＴＲＸ）と前記移動通信手段（ＭＳ）との間の通信のために予約されたチャネルのアイデンティティが備えられている方法を実行するために適合していることを特徴とするネットワークノード要素。
【請求項１１】
前記第１のタイプの交換手段（ＭＳＣ）からチャネル情報の要求を受信する工程と、
その要求に応答して前記要求されたチャネル情報を送信する工程とを有し、
前記チャネル情報は前記識別された無線送信手段（ＴＲＸ）と前記移動通信手段（ＭＳ）との間の通信のために予約された前記チャネルのアイデンティティを有している方法をさらに実行するために適合していることを特徴とする請求項１０に記載のネットワークノード要素。
【請求項１２】
請求項８又は９に記載のネットワークノード要素と、請求項１０又は１１に記載のネットワークノード要素とを有することを特徴とするセルラ通信ネットワークのネットワークノード。
【請求項１３】
請求項８乃至１１のいずれかに記載のネットワークノード要素を少なくとも１つ有することを特徴とするセルラ通信ネットワーク。
【請求項１４】
デジタル処理ユニットの内部メモリにロード可能なコンピュータプログラムであって、
請求項１乃至７のいずれかに記載の方法の工程を制御するために適合したソフトウェアコードを有し、
前記コンピュータプログラムは前記デジタル処理ユニットで実行されることを特徴とするコンピュータプログラム。
【請求項１５】
前記コンピュータプログラムはマシン可読媒体、特に、コンピュータ可読媒体に格納されることを特徴とする請求項１４に記載のコンピュータプログラム。
【請求項１６】
請求項１５に記載のコンピュータプログラムを有するマシン可読媒体。
【国際調査報告】
2004525589.tif 000031
2004525589.tif 000032
2004525589.tif 000033